(57)【要約】  【課題】使用後の廃棄処理を容易にでき、また、使用後に確実にコンパクトに纏めることができる使い捨て吸収性物品を提供する。  【解決手段】廃棄時止着用の矩形状の廃棄用テープ17を、腹側腰回り部７の幅方向の両側部に、自由端部が長手方向に沿って開放するようにそれぞれ配設する。おむつ体１の廃棄時に丸めて廃棄用テープ17で固定する際の止着力が向上し、充分な止着力を確保して使用後の廃棄処理を容易にでき、また、おむつ体１を確実にコンパクトに纏めることができる。  【選択図】図１
2005270181.tif 000002
【特許請求の範囲】
【請求項１】
透液性表面シート、この透液性表面シートの裏面側に配設された不透液性裏面シート、および、前記透液性表面シートと前記不透液性裏面シートとの間に配設された吸収体を備え、長手方向および幅方向を有する吸収性物品体と、
前記不透液性裏面シートに固定された固定部、および、この固定部に対して自由端状に設けられ廃棄時止着用の粘着層を有する自由端部を備えた廃棄時止着用の矩形状の廃棄用テープとを具備し、
前記吸収性物品体は、
背側腰回り部、一対の脚回り部、および、腹側腰回り部が長手方向に順次形成されるとともに、前記背側腰回り部および前記腹側腰回り部の幅方向の両側部がそれぞれ接合されてパンツ形状に形成され、
前記廃棄用テープは、前記背側腰回り部と前記腹側腰回り部との少なくともいずれか一方の幅方向の両側部に、前記自由端部が長手方向に沿って開放されるようにそれぞれ配設されている
ことを特徴とした使い捨て吸収性物品。
【請求項２】
廃棄用テープは、
固定部の一側面が不透液性裏面シートに固定され、
自由端部が前記固定部から折り返し形成されて前記自由端部の一側面が前記固定部の他側面に対向し、
粘着層の一側面が前記自由端部の他側面に配設され、
前記粘着層の他側面に、剥離可能な剥離部材が配設されている
ことを特徴とした請求項１記載の使い捨て吸収性物品。
【請求項３】
廃棄用テープは、吸収性物品体の幅方向の互いに反対側に位置する自由端部がそれぞれ互いに反対方向に開放可能である
ことを特徴とした請求項１または２記載の使い捨て吸収性物品。
【発明の詳細な説明】
【技術分野】
【０００１】
本発明は、例えば大人用、あるいは失禁用などのパンツ型の使い捨て吸収性物品に関する。
【背景技術】
【０００２】
従来、この種の使い捨て吸収性物品は、透液性表面シートと、不透液性裏面シートとの間に吸収体を配設した略矩形状の吸収性物品体を備えている。この吸収性物品体には、長手方向に沿って背側腰回り部、一対の脚回り部および腹側腰回り部が順次形成されている。そして、この吸収性物品体は、背側腰回り部の幅方向の両側部と腹側腰回り部の幅方向の両側部とがそれぞれ互いに接合され、腰回り開口部と一対の脚回り開口部とを有するパンツ形状に形成される。さらに、腰回り開口部と一対の脚回り開口部とには、全周に亘って伸縮するように弾性体がそれぞれ配設されている。そして、吸収性物品体には、使用後の廃棄処理の際に、ごみの嵩を少なくするために、コンパクトに纏めて固定するための廃棄用テープが、不透液性裏面シートのいずれかの位置に配設されている（例えば、特許文献１参照。）。
【特許文献１】特許第３０２１４４６号公報（第２−４頁、図１）
【発明の開示】
【発明が解決しようとする課題】
【０００３】
しかしながら、上述の使い捨て吸収性物品では、廃棄用テープに一定の効果はあるものの、殆どが一つの廃棄用テープを幅方向中央部に配設しているだけなので、廃棄の際に充分固定できない場合、あるいは種々の状況においてコンパクトに纏めることができない場合があり、ごみが嵩張って多くなってしまうという問題点を有している。
【０００４】
本発明は、このような点に鑑みなされたもので、使用後の廃棄処理を容易にでき、また、使用後に確実にコンパクトに纏めることができる使い捨て吸収性物品を提供することを目的とする。
【課題を解決するための手段】
【０００５】
請求項１記載の使い捨て吸収性物品は、透液性表面シート、この透液性表面シートの裏面側に配設された不透液性裏面シート、および、前記透液性表面シートと前記不透液性裏面シートとの間に配設された吸収体を備え、長手方向および幅方向を有する吸収性物品体と、前記不透液性裏面シートに固定された固定部、および、この固定部に対して自由端状に設けられ廃棄時止着用の粘着層を有する自由端部を備えた廃棄時止着用の矩形状の廃棄用テープとを具備し、前記吸収性物品体は、背側腰回り部、一対の脚回り部、および、腹側腰回り部が長手方向に順次形成されるとともに、前記背側腰回り部および前記腹側腰回り部の幅方向の両側部がそれぞれ接合されてパンツ形状に形成され、前記廃棄用テープは、前記背側腰回り部と前記腹側腰回り部との少なくともいずれか一方の幅方向の両側部に、前記自由端部が長手方向に沿って開放されるようにそれぞれ配設されているものである。
【０００６】
そして、不透液性裏面シートに固定された固定部と廃棄時止着用の粘着層を有する自由端部とを備えた廃棄時止着用の矩形状の廃棄用テープを、背側腰回り部と腹側腰回り部との少なくともいずれか一方の幅方向の両側部に、自由端部が長手方向に沿って開放されるようにそれぞれ配設することで、吸収性物品体の廃棄時に丸めて廃棄用テープで固定する際の止着力が向上し、充分な止着力を確保して使用後の廃棄処理を容易にすることが可能となり、また、吸収性物品体を確実にコンパクトに纏めることが可能になる。
【０００７】
請求項２記載の使い捨て吸収性物品は、請求項１記載の使い捨て吸収性物品において、廃棄用テープは、固定部の一側面が不透液性裏面シートに固定され、自由端部が前記固定部から折り返し形成されて前記自由端部の一側面が前記固定部の他側面に対向し、粘着層の一側面が前記自由端部の他側面に配設され、前記粘着層の他側面に、剥離可能な剥離部材が配設されているものである。
【０００８】
そして、一側面が固定部に対向するように折り返し形成した自由端部の他側面に粘着層の一側面を配設し、この粘着層の他側面に、剥離可能な剥離部材を配設することで、剥離部材を剥離させた状態で自由端部を開放すると、粘着層が不透液性裏面シート側を向くため、吸収性物品体を、より固定することが可能となるとともに、自由端部を固定部に対して開放せずとも、剥離部材を剥離させるだけで廃棄用テープを使用することが可能になる。
【０００９】
請求項３記載の使い捨て吸収性物品は、請求項１または２記載の使い捨て吸収性物品において、廃棄用テープは、吸収性物品体の幅方向の互いに反対側に位置する自由端部がそれぞれ互いに反対方向に開放可能であるものである。
【００１０】
そして、吸収性物品体の幅方向の互いに反対側に位置する廃棄用テープの自由端部を、それぞれ互いに反対方向に開放可能とすることで、パンツ形状の吸収性物品体を上下どちらからでも容易にコンパクトにして固定することが可能になる。
【発明の効果】
【００１１】
請求項１記載の発明によれば、不透液性裏面シートに固定された固定部と廃棄時止着用の粘着層を有する自由端部とを備えた廃棄時止着用の矩形状の廃棄用テープを、背側腰回り部と腹側腰回り部との少なくともいずれか一方の幅方向の両側部に、自由端部が長手方向に沿って開放されるようにそれぞれ配設することで、吸収性物品体の廃棄時に丸めて廃棄用テープで固定する際の止着力が向上し、充分な止着力を確保して使用後の廃棄処理を容易にでき、また、吸収性物品体を確実にコンパクトに纏めることができる。
【００１２】
請求項２記載の発明によれば、一側面が固定部に対向するように折り返し形成した自由端部の他側面に粘着層の一側面を配設し、この粘着層の他側面に、剥離可能な剥離部材を配設することで、剥離部材を剥離させた状態で自由端部を開放すると、粘着層が不透液性裏面シート側を向くため、吸収性物品体を、より容易に固定できるとともに、自由端部を固定部に対して開放せずとも、剥離部材を剥離させるだけで廃棄用テープを使用できる。
【００１３】
請求項３記載の発明によれば、吸収性物品体の幅方向の互いに反対側に位置する廃棄用テープの自由端部を、それぞれ互いに反対方向に開放可能とすることで、パンツ形状の吸収性物品体を上下どちらからでも容易にコンパクトにして固定できる。
【発明を実施するための最良の形態】
【００１４】
以下、本発明の第１の実施の形態の使い捨て吸収性物品の構成を図１ないし図３を参照して説明する。
【００１５】
図１において、使い捨て吸収性物品は、例えば使い捨て紙おむつであり、吸収性物品体としての略矩形状のおむつ体１を備えている。このおむつ体１は、図１に示す展開状態から、図２に示すパンツ形状にすることで、例えば病人、失禁者などの装着者の背部側から腹部側に身体に沿って装着するものである。また、このおむつ体１は、透液性を有する透液性表面シート２、不透液性を有する不透液性裏面シート３、および、これら透液性表面シート２と不透液性裏面シート３との間に配設され液吸収性を有する吸収体４にて層状に形成されている。さらに、このおむつ体１には、長手方向に沿って背側腰回り部５、股下回り部６および腹側腰回り部７が長手方向に順次形成され、これら背側腰回り部５と腹側腰回り部７との幅方向の両側部が互いに接合されることで、おむつ体１が、図２に示すように、腰回り開口部８と一対の脚回り開口部９とを有するパンツ形状に形成される。
【００１６】
透液性表面シート２は、例えば織布、不織布、多孔性フィルム、或いは合成繊維などの、透液性および通気性を有しかつ肌着に近い感触のシート材で形成され、尿などの排泄液を吸収体４へ透過するとともに、身体に直接接触しても不快感を与えないようになっている。
【００１７】
不透液性裏面シート３は、例えばポリエチレン(polyethylene)樹脂などの合成樹脂など、不透液性および通気性を有したシート材にて形成され、透液性表面シート２の裏面側に貼着されて、尿などの排泄液にて例えば下着などの他の衣類、或いはシーツなどの汚れを防止している。
【００１８】
吸収体４は、例えばパルプを主とする材料であって一部に高分子吸収体などの物質を含んだ材料にて矩形シート状に形成され、尿などの排泄液を充分に吸収する。そして、この吸収体４は、透液性表面シート２と不透液性裏面シート３との周縁部が互いに貼着されることで、これら透液性表面シート２と不透液性裏面シート３との間に封着されている。
【００１９】
背側腰回り部５は、展開状態におけるおむつ体１の長手方向の一端側に形成され、この展開状態からおむつ体１が適宜折り曲げられて、装着者の腰回りの背側に位置する部分となっている。また、この背側腰回り部５には、装着者の背側に位置する背側弾性体11が幅方向に沿って複数本配設されている。これら背側弾性体11は、例えば紐状ゴムなどの伸縮可能な部材であり、背側腰回り部５全域に亘って幅方向に伸縮性を付与する。さらに、背側腰回り部５の両外側縁部には、図示しない背側結合部が形成されている。
【００２０】
股下回り部６は、展開状態における長手方向の中間部に、背側腰回り部５から腹側腰回り部７に亘っておむつ体１の長手方向側に連続して一体に形成され、この展開状態からおむつ体１が適宜折り曲げられて、装着者の股下に位置する部分となっている。そして、この股下回り部６の両側部には、脚回り開口部９を形成する脚回り部12が円弧状に切り欠き形成されている。
【００２１】
腹側腰回り部７は、展開状態におけるおむつ体１の長手方向の股下回り部６の背側腰回り部５と反対側の他端側に連続して一体に形成され、この展開状態からおむつ体１が適宜折り曲げられて、装着者の腰回りの腹側に位置する部分となっている。
【００２２】
また、この腹側腰回り部７には、装着者の腹側全体に位置する腹側弾性体13が幅方向に沿って複数本配設されている。これら腹側弾性体13は、例えば紐状ゴムなどの伸縮可能な部材であり、腹側腰回り部７全域に亘って幅方向に伸縮性を付与する。さらに、これら腹側弾性体13の両端部は、おむつ体１をパンツ形状に形成した状態で背側弾性体11の両端部とそれぞれ連結される。
【００２３】
さらに、腹側腰回り部７の両外側部近傍には、背側腰回り部５の背側結合部と接合される図示しない腹側結合部が設けられている。そして、これら腹側結合部を背側結合部と接合することにより、おむつ体１が図２に示すパンツ形状に形成される。
【００２４】
また、両腰回り部５，７における透液性表面シート２と不透液性裏面シート３との間には、図１に示すように、複数本の腰回り用弾性体15が配設されている。これら腰回り用弾性体15は、例えば紐状ゴムなどの伸縮可能な部材であり、これら腰回り用弾性体15および各弾性体11，13により、腰回り開口部８の全周に亘って伸縮性が付与される。
【００２５】
両脚回り部12の近傍には、透液性表面シート２と不透液性裏面シート３との間に、脚回り用弾性体16がそれぞれ配設されている。これら脚回り用弾性体16は、例えば紐状ゴムなどの伸縮可能な部材であり、脚回り開口部９の全周に亘って配設され、脚回り部12に伸縮性を付与して、脚回り部12をギャザ部に形成する。
【００２６】
そして、腹側腰回り部７の幅方向の両側部には、透液性表面シート２と不透液性裏面シート３との間に、それぞれ矩形状の廃棄用テープ17が１つずつ配設されている。これら廃棄用テープ17は、おむつ体１の幅方向の両側部、すなわち背側腰回り部５と腹側腰回り部７とを互いに接合した部分から、おむつ体１の幅方向の中心部に向かって例えば１／３程度内側に入った部分に配設することが好ましい。これは、廃棄用テープ17をおむつ体１の幅方向の両側縁に配設すると、丸めたおむつ体１の中央部を固定できず、廃棄用テープ17をおむつ体１の幅方向の中心部に配設すると、丸めたおむつ体１の両側部を固定できないためである。
【００２７】
また、これら廃棄用テープ17は、おむつ体１の幅方向の中心線について互いに線対称な位置に配設されている。さらに、これら廃棄用テープ17は、おむつ体１の長手方向に沿って長手状に配設され、互いに平行となっている。
【００２８】
そして、これら廃棄用テープ17は、図３に示すように、不透液性裏面シート３に一側面が固定された固定部21と、この固定部21の長手方向の一端部、例えば上端部から自由端状に折り返し形成された自由端部22とを有している。
【００２９】
固定部21は、一側面と不透液性裏面シート３との間に固着層23が配設され、この固着層23により、固定部21が不透液性裏面シート３に固着されている。
【００３０】
自由端部22は、一側面が固定部21の他側面に対向するように、この固定部21の幅方向に折り返し形成され、この固定部21に対向する一側面に、粘着層24が設けられている。したがって、廃棄用テープ17は、断面視で略Ｕ字状の２つ折り形状に形成されている。なお、固定部21の不透液性裏面シート３と反対側の他側面は、粘着層24が貼着しないように剥離処理されている。
【００３１】
そして、粘着層24は、自由端部22側に固着され、かつ自由端部22を固定部21に対して折り返した状態では、固定部21に貼着されて自由端部22を固定部21に仮止めしている。
【００３２】
次に、上記第１の実施の形態の作用を説明する。
【００３３】
装着に際しては、おむつ体１を、図１に示す展開状態から、背側腰回り部５と腹側腰回り部７との幅方向の両側部を接合して図２に示すパンツ形状とし、装着者に穿かせるように装着する。
【００３４】
そして、使用後には、おむつ体１を装着者から脱がせ、各廃棄用テープ17の自由端部22の固定部21に対する折り返しをそれぞれ上方へと開放し、この自由端部22に貼着された粘着層24を露出させた後、おむつ体１を脚回り部12側から腹側腰回り部７側へと筒状に丸め、自由端部22により粘着層24を不透液性裏面シート３に上から貼着して固定し、廃棄する。
【００３５】
上述したように、上記第１の実施の形態によれば、廃棄時止着用の廃棄用テープ17を、腹側腰回り部７の幅方向の両側部に、自由端部22が長手方向に沿って開放されるようにそれぞれ配設することで、例えば廃棄用テープ17をおむつ体１の幅方向の中心部に１つ配設する場合と比較して、おむつ体１の廃棄時に丸めて廃棄用テープ17で固定する際の止着力を向上し、充分な止着力を確保して使用後の廃棄処理を容易にすることができ、また、おむつ体１を確実にコンパクトに纏めることができる。
【００３６】
また、おむつ体１を丸めて廃棄用テープ17により止着して廃棄できるので、排泄物などにより廃棄の際に手が汚れることなどをも防止できる。
【００３７】
さらに、廃棄用テープ17の自由端部22を、固定部21の上端部から折り返して形成することで、自由端部22を開放すると、この自由端部22が固定部21の上方に位置するため、おむつ体１の廃棄時にこのおむつ体１を丸める際に、おむつ体１の脚回り部12側を丸め始めとすることができるので、脚回り部12の近傍に配置された吸収体４が内側となり、廃棄時に排泄物などが漏れることなどを、より確実に防止できる。
【００３８】
そして、おむつ体１をコンパクトに纏めることができるので、おむつ体１が嵩張らず、ごみの量を低減できる。
【００３９】
また、廃棄用テープ17の自由端部22を、長手方向に開放可能とすることで、おむつ体１を脚回り部12側から丸めて廃棄用テープ17で止着する際の作業性を向上できる。
【００４０】
さらに、おむつ体１の両側部に位置した廃棄用テープ17を、互いに平行に配設することで、廃棄用テープ17によっておむつ体１の見栄えを損なうことを防止できる。
【００４１】
なお、上記第１の実施の形態において、図４に示す構成とすることも可能である。すなわち、廃棄用テープ17が、固定部21の長手方向の一端部から折り返し形成された中間部25、この中間部25と固定部21とを互いに固着する固着層26、および、中間部25からこの中間部25と反対方向に自由端状に折り返し形成された自由端部22を備え、この自由端部22の中間部25に対向しない他側部に粘着層24が設けられている構成とし、廃棄用テープ17を、断面視で略Ｚ字状、すなわち３つ折り形状とする構成も可能である。この場合にも、上記第１の実施の形態と同様の作用効果を奏することができる。
【００４２】
また、図５に示すように、廃棄用テープ17を、おむつ体１の幅方向の両側部と、幅方向の中心部とに、３つ配設する構成とすることも可能である。この場合には、おむつ体１の廃棄の際に、このおむつ体１を、幅方向の両側部および中心部において、廃棄用テープ17にて、より確実に止着できる。
【００４３】
さらに、図６に示すように、各廃棄用テープ17を、おむつ体１の長手方向に沿って腰回り開口部８側に向けておむつ体１の幅方向の中心部へと傾斜状、すなわち略ハ字状に配設する構成とすることも可能である。この場合には、固定部21から開放された自由端部22がおむつ体１の幅方向の中心部へと向かうため、廃棄の際に、いずれか一方の廃棄用テープ17の粘着層24が丸めたおむつ体１から仮に剥離しても、他方の廃棄用テープ17が丸めたおむつ体１を幅方向の中心部近傍で固定できるので、丸めたおむつ体１の広がりを防止できる。
【００４４】
次に、第２の実施の形態を図７を参照して説明する。なお、上記第１の実施の形態と同様の構成および作用については、同一符号を付してその説明を省略する。
【００４５】
図７に示すように、自由端部22には、固定部21との間に、この自由端部22を固定部21に仮止めする固着層31が配設されている。また、自由端部22の固着部31と反対側の側面には、粘着層24が配設され、この粘着層24の自由端部22と反対側の側面には、剥離部材32が配設されている。
【００４６】
固着層31は、固定部21と自由端部22とが、廃棄用テープ17の使用時に剥離可能となるように、自由端部22を固定部21に仮止めしている。
【００４７】
また、剥離部材32は、自由端部22側の側面に剥離処理が施され、廃棄用テープ17の使用時に剥離可能となっている。
【００４８】
そして、おむつ体１の廃棄の際には、剥離部材32を剥離させ、脚回り部12側から腰回り開口部８側へと丸めたおむつ体１の不透液性裏面シート３に粘着層24を貼着して、おむつ体１を止着する。
【００４９】
このように、上記第２の実施の形態によれば、おむつ体１の幅方向の両側部にそれぞれ配設した廃棄用テープ17にて、丸めたおむつ体１を止着することにより、上記第１の実施の形態と同様の作用効果を奏することが可能になる。
【００５０】
また、自由端部22の固定部21と反対側の側面に粘着層24を配設し、この粘着層24の自由端部22と反対側の側面に、剥離可能な剥離部材32を配設することで、剥離部材32を剥離させた状態で自由端部22を固定部21から開放すると、粘着層24が不透液性裏面シート３側すなわち内側を向くため、固定部21と自由端部22とを２つ折り形状にし、固定部21と自由端部22との間に粘着層24を配設して自由端部22の開放時に粘着層24が外側を向く場合と比較して、おむつ体１を、よりコンパクトに纏めて廃棄できる。
【００５１】
さらに、自由端部22を固定部21に対して開放せずとも、剥離部材32を剥離させるだけで廃棄用テープ17を使用できる。
【００５２】
なお、上記第２の実施の形態において、固定部21と自由端部22とは、一方に剥離処理を施し、他方に固着層31を配設した構成、例えば固定部21の自由端部22側の側面に剥離処理を施し、自由端部22の固定部21側の側面に固着層31を配設する構成などとすることも可能である。この場合には、自由端部22に設けられた粘着層24以外にも固着層31を廃棄時止着用の粘着部とすることもでき、様々な状況、あるいはおむつ体１の折り畳み方でも、より確実におむつ体１をコンパクトに纏めることができる。
【００５３】
また、廃棄用テープ17は、自由端部22を固定部21の下端部から上方へと折り返して形成する構成も可能である。この場合には、おむつ体１の廃棄時に、腰回り開口部８側から脚回り部12側へと丸めて廃棄用テープ17で止着する。
【００５４】
さらに、剥離部材32には、印刷などの目印を施してもよい。この場合には、例えばパンツ形状にしたおむつ体１の前後を目視にて容易に識別できるとともに、廃棄用テープ17を使用する際は、おむつ体１の使用後に剥離部材32を剥離させるため、おむつ体１が未使用か使用済みかをも目視にて容易に判断できる。
【００５５】
次に、第３の実施の形態を図８を参照して説明する。なお、上記各実施の形態と同様の構成および作用については、同一符号を付してその説明を省略する。
【００５６】
図８に示すように、おむつ体１の幅方向の両側部に位置する各廃棄用テープ17は、それぞれ互いに反対方向に自由端部22が開放可能となっている。例えば、図８に示す左側の廃棄用テープ17では、自由端部22が脚回り部12側に開放可能であり、図８に示す右側の廃棄用テープ17では、自由端部22が腰回り開口部８側に開放可能である。
【００５７】
そして、上記第３の実施の形態によれば、おむつ体１の幅方向の両側部にそれぞれ配設した廃棄用テープ17にて、丸めたおむつ体１を止着することにより、上記各実施の形態と同様の作用効果を奏することが可能になる。
【００５８】
また、おむつ体１の幅方向の両側部に配設された各廃棄用テープ17の自由端部22を、それぞれ互いに反対方向に開放可能とすることで、パンツ形状のおむつ体１を上下、すなわち腰回り開口部８側と脚回り部12側とのどちらからでも容易にコンパクトにして固定できる。
【００５９】
なお、上記各実施の形態において、廃棄用テープ17は、腹側腰回り部７に配設したが、背側腰回り部５に配設する構成、あるいは各腰回り部５，７にそれぞれ配設する構成とすることもできる。
【図面の簡単な説明】
【００６０】
【図１】本発明の第１の実施の形態の使い捨て吸収性物品の展開状態を示す平面図である。
【図２】同上使い捨て吸収性物品を示す斜視図である。
【図３】同上使い捨て吸収性物品を示す縦断側面図である。
【図４】同上使い捨て吸収性物品の他の実施の形態を示す縦断側面図である。
【図５】同上使い捨て吸収性物品のさらに他の実施の形態を示す斜視図である。
【図６】同上使い捨て吸収性物品のさらに他の実施の形態を示す斜視図である。
【図７】本発明の第２の実施の形態の使い捨て吸収性物品を示す縦断側面図である。
【図８】本発明の第３の実施の形態の使い捨て吸収性物品を示す斜視図である。
【符号の説明】
【００６１】
１    吸収性物品体としてのおむつ体
２    透液性表面シート
３    不透液性裏面シート
４    吸収体
５    背側腰回り部
７    腹側腰回り部
12    脚回り部
17    廃棄用テープ
21    固定部
22    自由端部
24    粘着層
32    剥離部材
【図１】
2005270181.tif 000003
【図２】
2005270181.tif 000004
【図３】
2005270181.tif 000005
【図４】
2005270181.tif 000006
【図５】
2005270181.tif 000007
【図６】
2005270181.tif 000008
【図７】
2005270181.tif 000009
【図８】
2005270181.tif 000010